(57)【要約】【課題】分割画像が印刷された複数の用紙の貼付作業を行う作業者の作業の負担軽減と時間短縮を図ることを課題とする。【解決手段】所定の画像情報を分割して、複数の各用紙に印刷する分割画像を形成する分割画像形成部と、印刷順序情報と分割数とを含む印刷情報を設定する印刷情報設定部と、分割画像を含む情報が印刷された用紙を出力する出力部とを備え、分割画像が形成された複数の用紙を重ね合わせてもとの画像情報を完成させるために、前記設定された印刷順序情報と分割数とに基づいて、前記用紙ごとに、用紙の出力順と、他の用紙を重ね合わせるために設ける糊代領域の位置を決定し、前記糊代領域に前記用紙の出力順に対応した糊代番号を付与し、前記出力部が、糊代番号を含む糊代領域と分割画像とが合成された糊代合成画像が印刷された複数の用紙を、前記決定された用紙の出力順に、出力する。【選択図】図７
2018176427.tif 000002
【特許請求の範囲】
【請求項１】
所定の画像情報を入力する情報入力部と、
入力された画像情報を分割して、複数の各用紙に印刷する分割画像を形成する分割画像形成部と、
印刷順序情報と分割数とを含む印刷情報を設定する印刷情報設定部と、
前記印刷情報を利用して、用紙ごとに、他の用紙を貼り合わせるために設ける糊代領域の位置を決定する糊代位置決定部と、
前記糊代位置決定部によって決定された各用紙の糊代領域に、糊代番号を付与する糊代番号付与部と、
前記分割画像を含む情報が印刷された用紙を出力する出力部とを備え、
前記印刷情報設定部によって設定された分割数によって、分割画像をそれぞれ印刷する用紙の数と、分割画像に対応した用紙の位置が決定され、
前記印刷情報設定部によって設定された印刷順序情報によって、前記用紙の出力順が決定され、
前記糊代位置決定部が、前記分割画像に対応した用紙の位置と用紙の出力順とに基づいて、各用紙に設ける糊代領域の位置を決定し、
前記糊代番号付与部が、前記決定された用紙の出力順に対応した糊代番号を、各用紙の糊代領域に付与し、
前記出力部が、糊代番号を含む糊代領域と分割画像とが合成された糊代合成画像が印刷された複数の用紙を、前記印刷順序情報によって決定された出力順に出力することを特徴とする画像形成装置。
【請求項２】
前記分割画像に対応した用紙の位置は、分割画像が印刷された用紙を貼り合わせて、もとの前記画像情報を完成させるときに配置される用紙の位置であることを特徴とする請求項１に記載の画像形成装置。
【請求項３】
前記糊代番号を含む糊代領域が、分割画像が印刷された面と同じ用紙の表面に設けられることを特徴とする請求項１または２に記載の画像形成装置。
【請求項４】
前記糊代番号を含む糊代領域が、用紙の両面に設けられることを特徴とする請求項１または２に記載の画像形成装置。
【請求項５】
前記糊代番号を含む糊代領域が、用紙の両面に設けられる場合、分割画像が印刷された面と同じ表面に設けられる糊代領域の位置と、分割画像が印刷されない裏面に設けられる糊代領域の位置とが異なることを特徴とする請求項４に記載の画像形成装置。
【請求項６】
前記印刷情報設定部によって、前記印刷情報として用紙種別情報を設定し、前記用紙種別情報に設定された用紙が、両面印刷が可能な用紙である場合、
前記糊代位置決定部が、用紙ごとに、分割画像が印刷された面と同じ表面に設ける糊代領域の位置と、分割画像が印刷されない裏面に設ける糊代領域の位置とを決定することを特徴とする請求項１に記載の画像形成装置。
【請求項７】
前記印刷情報設定部によって、前記印刷情報として糊代印刷面情報を設定し、前記糊代印刷面情報に、用紙の両面に糊代領域を設けることを示す情報が設定された場合、
前記糊代位置決定部が、用紙ごとに、分割画像が印刷された面と同じ表面に設ける糊代領域の位置と、分割画像が印刷されない裏面に設ける糊代領域の位置とを決定することを特徴とする請求項１に記載の画像形成装置。
【請求項８】
前記印刷情報設定部によって、前記印刷情報として、用紙種別情報と糊代印刷面情報を設定し、前記糊代印刷面情報に、用紙の両面に糊代領域を設けることを示す情報が設定された場合であっても、前記用紙種別情報に設定された用紙が、両面印刷ができない用紙である場合、
前記糊代位置決定部は、前記分割画像が印刷された面と同じ表面のみに設ける糊代領域の位置を決定することを特徴とする請求項１に記載の画像形成装置。
【請求項９】
前記用紙の糊代領域に付与される糊代番号は、その用紙と他の用紙とを貼り合わせるときに、糊代領域に糊をつける順番を示すことを特徴とする請求項１から８のいずれかに記載の画像形成装置。
【請求項１０】
前記印刷順序情報は、各用紙を出力する順番を特定する情報であり、前記印刷順序情報には、Ｚ順、逆Ｚ順、Ｎ順および逆Ｎ順のうち、いずれかが設定されることを特徴とする請求項１から９のいずれかに記載の画像形成装置。
【請求項１１】
前記入力された画像情報を、縦方向がｍ個、横方向がｎ個のマトリクス状の分割画像に分割する場合、前記分割数には、縦方向に配置される用紙の枚数ｍと、横方向に配置される用紙の枚数ｎとが設定されることを特徴とする請求項１から１０のいずれかに記載の画像形成装置。
【請求項１２】
所定の画像情報を分割して、複数の各用紙に印刷する分割画像を形成する分割画像形成部と、
印刷順序情報と分割数とを含む印刷情報を設定する印刷情報設定部と、
前記分割画像を含む情報が印刷された用紙を出力する出力部とを備え、
前記分割画像が形成された複数の用紙を貼り合わせてもとの画像情報を完成させるために、前記印刷情報設定部によって設定された印刷順序情報と分割数とに基づいて、前記用紙ごとに、用紙の出力順と、他の用紙を貼り合わせるために設ける糊代領域の位置を決定し、前記糊代領域に前記用紙の出力順に対応した糊代番号を付与し、
前記出力部が、糊代番号を含む糊代領域と分割画像とが合成された糊代合成画像が印刷された複数の用紙を、前記決定された用紙の出力順に、出力することを特徴とする画像形成装置。
【請求項１３】
所定の画像情報を入力する情報入力部と、入力された画像情報を分割して、複数の各用紙に印刷する分割画像を形成する分割画像形成部と、印刷順序情報と分割数とを含む印刷情報を設定する印刷情報設定部と、前記印刷情報を利用して、用紙ごとに他の用紙を貼り合わせるために設ける糊代領域の位置を決定する糊代位置決定部と、前記糊代位置決定部によって決定された各用紙の糊代領域に、糊代番号を付与する糊代番号付与部と、前記分割画像を含む情報が印刷された用紙を出力する出力部とを備えた画像形成装置の画像形成方法であって、
前記情報入力部によって、所定の画像情報を入力し、
前記印刷情報設定部によって、印刷順序情報と分割数とを含む印刷情報を設定し、
前記印刷情報設定部によって設定された分割数によって、分割画像をそれぞれ印刷する用紙の数と、分割画像に対応した用紙の位置が決定され、
前記印刷情報設定部によって設定された印刷順序情報によって、前記用紙の出力順が決定され、
前記分割画像形成部が、設定された分割数に基づいて、前記入力された画像情報を分割して、複数の分割画像を形成し、
前記糊代位置決定部が、前記分割画像に対応した用紙の位置と用紙の出力順とに基づいて、各用紙に設ける糊代領域の位置を決定し、
前記糊代番号付与部が、前記決定された用紙の出力順に対応した糊代番号を、各用紙の糊代領域に付与し、
前記出力部が、糊代番号を含む糊代領域と分割画像とが合成された糊代合成画像が印刷された複数の用紙を、前記印刷順序情報によって決定された出力順に出力することを特徴とする画像形成装置の画像形成方法。
【発明の詳細な説明】
【技術分野】
【０００１】
この発明は、画像形成装置に関し、特に、１つの画像情報を複数の画像データに分割し、それぞれの画像データを複数枚の用紙に分割印刷して、拡大された画像情報を生成することのできる画像形成装置に関する。
【背景技術】
【０００２】
従来から、取得した画像情報を拡大して印刷するポスター印刷機能を有する画像形成装置が利用されている。
たとえば、取得した画像情報を、長方形状の複数の画像データに分割し、各画像データの所定の辺の近傍に糊代領域を形成して、糊代領域を含む各画像データを、複数枚の記録用紙にそれぞれ印刷する。記録用紙を出力した後、各記録用紙の糊代領域に糊を付け、所定の記録用紙同士を重ね合わせて貼り付け、画像情報を拡大したポスターを作成していた。
【０００３】
また、特許文献１には、記録用紙の重ね合わせの順番を間違えることを防止するために、記録用紙に形成される糊代部分に、記録用紙を重ね合わせる順番を表す重ね順マークを付与し、重ね順マークが若い方から順に、糊代部分が形成された記録用紙を出力する画像形成装置が提案されている。
【先行技術文献】
【特許文献】
【０００４】
【特許文献１】特開２００８−２３８６９９号公報
【発明の概要】
【発明が解決しようとする課題】
【０００５】
しかし、従来のポスター印刷機能では、分割された複数の画像データがそれぞれ印刷された記録用紙が、予め固定された順序で出力される。たとえば、特許文献１では、糊代部分に付与された重ね順マークが若い方から順に、記録用紙が出力される。
しかし、出力された複数枚の記録用紙を貼付する作業を、複数人の作業者で分担して行う場合、記録用紙を各作業者に分配するために、記録用紙の枚数や作業者の人数などの関係で、記録用紙を出力する順序を変更したほうが好ましい場合がある。
【０００６】
取得した画像情報の分割は、一般的に、マトリクス的な分割が行われ、たとえば、横方向の枚数をｎ枚、縦方向の枚数をｍ枚とする合計ｎ×ｍ枚の記録用紙に印刷される画像データに分割される。
ここで、横方向の一列のｎ枚の記録用紙の貼り合わせを一人の作業者が担当し、合計ｍ人の作業者で貼付作業をする場合において、ｎ×ｍ枚の記録用紙を各作業者に効率よく分配するためには、記録用紙の印刷順序は、まず最初の行の横方向のｎ枚の記録用紙を順に印刷し、次に、次の行の横方向のｎ枚の記録用紙を順に印刷するというように、マトリクスの行ごとに、区分けして記録用紙を出力することが望ましい。
【０００７】
また、縦方向の一列のｍ枚の記録用紙の貼り合わせを一人の作業者が担当し、合計ｎ人の作業者で貼付作業をする場合において、ｎ×ｍ枚の記録用紙を各作業者に効率よく分配するためには、記録用紙の印刷順序は、まず最初の列の縦方向のｍ枚の記録用紙を順に印刷し、次に、次の列の縦方向のｍ枚の記録用紙を順に印刷するというように、マトリクスの列ごとに、区分けして記録用紙を出力することが望ましい。
もし、上記したように、マトリクスの行ごとに区分けして記録用紙を出力した場合、縦方向の一列のｍ枚の記録用紙をｎ人の作業者に分配するには、行ごとに配列された記録用紙の中から、作業者が担当するｍ枚の記録用紙を選び出さなければならず、その選択作業に時間がかかり、分配用紙を間違える可能性も高い。
【０００８】
すなわち、記録用紙の枚数や作業者の人数などを考慮して、その都度、記録用紙を出力する順序を適切に設定変更しなければ、記録用紙の貼付作業をする作業者の作業負担が大きく、作業効率を高めることができない。
また、記録用紙を出力する順序が変更されると、貼付作業を容易にするために、各記録用紙の糊代領域の位置や、糊代領域に印刷される重ね順を示すマークも、適切な位置や番号に変化させることが要求される。
【０００９】
そこで、この発明は、以上のような事情を考慮してなされたものであり、取得された画像情報を拡大する場合に、印刷される複数枚の用紙の印刷順序に対応させて、糊代領域の位置などの糊代情報を設定することができ、印刷後に行うユーザの貼付作業の負担軽減と時間短縮を図ることのできる画像形成装置を提供することを課題とする。
【課題を解決するための手段】
【００１０】
この発明は、所定の画像情報を入力する情報入力部と、入力された画像情報を分割して、複数の各用紙に印刷する分割画像を形成する分割画像形成部と、印刷順序情報と分割数とを含む印刷情報を設定する印刷情報設定部と、前記印刷情報を利用して、用紙ごとに、他の用紙を貼り合わせるために設ける糊代領域の位置を決定する糊代位置決定部と、前記糊代位置決定部によって決定された各用紙の糊代領域に、糊代番号を付与する糊代番号付与部と、前記分割画像を含む情報が印刷された用紙を出力する出力部とを備え、前記印刷情報設定部によって設定された分割数によって、分割画像をそれぞれ印刷する用紙の数と、分割画像に対応した用紙の位置が決定され、前記印刷情報設定部によって設定された印刷順序情報によって、前記用紙の出力順が決定され、前記糊代位置決定部が、前記分割画像に対応した用紙の位置と用紙の出力順とに基づいて、各用紙に設ける糊代領域の位置を決定し、前記糊代番号付与部が、前記決定された用紙の出力順に対応した糊代番号を、各用紙の糊代領域に付与し、前記出力部が、糊代番号を含む糊代領域と分割画像とが合成された糊代合成画像が印刷された複数の用紙を、前記印刷順序情報によって決定された出力順に出力することを特徴とする画像形成装置を提供するものである。
【００１１】
また、前記分割画像に対応した用紙の位置は、分割画像が印刷された用紙を貼り合わせて、もとの前記画像情報を完成させるときに配置される用紙の位置であることを特徴とする。
また、前記糊代番号を含む糊代領域が、分割画像が印刷された面と同じ用紙の表面に設けられることを特徴とする。
【００１２】
また、前記糊代番号を含む糊代領域が、用紙の両面に設けられることを特徴とする。
また、前記糊代番号を含む糊代領域が、用紙の両面に設けられる場合、分割画像が印刷された面と同じ表面に設けられる糊代領域の位置と、分割画像が印刷されない裏面に設けられる糊代領域の位置とが異なることを特徴とする。
【００１３】
また、前記印刷情報設定部によって、前記印刷情報として用紙種別情報を設定し、前記用紙種別情報に設定された用紙が、両面印刷が可能な用紙である場合、前記糊代位置決定部が、用紙ごとに、分割画像が印刷された面と同じ表面に設ける糊代領域の位置と、分割画像が印刷されない裏面に設ける糊代領域の位置とを決定することを特徴とする。
【００１４】
また、前記印刷情報設定部によって、前記印刷情報として糊代印刷面情報を設定し、前記糊代印刷面情報に、用紙の両面に糊代領域を設けることを示す情報が設定された場合、前記糊代位置決定部が、用紙ごとに、分割画像が印刷された面と同じ表面に設ける糊代領域の位置と、分割画像が印刷されない裏面に設ける糊代領域の位置とを決定することを特徴とする。
【００１５】
また、前記印刷情報設定部によって、前記印刷情報として、用紙種別情報と糊代印刷面情報を設定し、前記糊代印刷面情報に、用紙の両面に糊代領域を設けることを示す情報が設定された場合であっても、前記用紙種別情報に設定された用紙が、両面印刷ができない用紙である場合、前記糊代位置決定部は、前記分割画像が印刷された面と同じ表面のみに設ける糊代領域の位置を決定することを特徴とする。
【００１６】
また、前記用紙の糊代領域に付与される糊代番号は、その用紙と他の用紙とを貼り合わせるときに、糊代領域に糊をつける順番を示すことを特徴とする。
また、前記印刷順序情報は、各用紙を出力する順番を特定する情報であり、前記印刷順序情報には、Ｚ順、逆Ｚ順、Ｎ順および逆Ｎ順のうち、いずれかが設定されることを特徴とする。
また、前記入力された画像情報を、縦方向がｍ個、横方向がｎ個のマトリクス状の分割画像に分割する場合、前記分割数には、縦方向に配置される用紙の枚数ｍと、横方向に配置される用紙の枚数ｎとが設定されることを特徴とする。
【００１７】
また、この発明は、所定の画像情報を分割して、複数の各用紙に印刷する分割画像を形成する分割画像形成部と、印刷順序情報と分割数とを含む印刷情報を設定する印刷情報設定部と、前記分割画像を含む情報が印刷された用紙を出力する出力部とを備え、前記分割画像が形成された複数の用紙を貼り合わせてもとの画像情報を完成させるために、前記印刷情報設定部によって設定された印刷順序情報と分割数とに基づいて、前記用紙ごとに、用紙の出力順と、他の用紙を貼り合わせるために設ける糊代領域の位置を決定し、前記糊代領域に前記用紙の出力順に対応した糊代番号を付与し、前記出力部が、糊代番号を含む糊代領域と分割画像とが合成された糊代合成画像が印刷された複数の用紙を、前記決定された用紙の出力順に、出力することを特徴とする画像形成装置を提供するものである。
【００１８】
また、この発明は、所定の画像情報を入力する情報入力部と、入力された画像情報を分割して、複数の各用紙に印刷する分割画像を形成する分割画像形成部と、印刷順序情報と分割数とを含む印刷情報を設定する印刷情報設定部と、前記印刷情報を利用して、用紙ごとに他の用紙を貼り合わせるために設ける糊代領域の位置を決定する糊代位置決定部と、前記糊代位置決定部によって決定された各用紙の糊代領域に、糊代番号を付与する糊代番号付与部と、前記分割画像を含む情報が印刷された用紙を出力する出力部とを備えた画像形成装置の画像形成方法であって、前記情報入力部によって、所定の画像情報を入力し、前記印刷情報設定部によって、印刷順序情報と分割数とを含む印刷情報を設定し、前記印刷情報設定部によって設定された分割数によって、分割画像をそれぞれ印刷する用紙の数と、分割画像に対応した用紙の位置が決定され、前記印刷情報設定部によって設定された印刷順序情報によって、前記用紙の出力順が決定され、前記分割画像形成部が、設定された分割数に基づいて、前記入力された画像情報を分割して、複数の分割画像を形成し、前記糊代位置決定部が、前記分割画像に対応した用紙の位置と用紙の出力順とに基づいて、各用紙に設ける糊代領域の位置を決定し、前記糊代番号付与部が、前記決定された用紙の出力順に対応した糊代番号を、各用紙の糊代領域に付与し、前記出力部が、糊代番号を含む糊代領域と分割画像とが合成された糊代合成画像が印刷された複数の用紙を、前記印刷順序情報によって決定された出力順に出力することを特徴とする画像形成装置の画像形成方法を提供するものである。
【発明の効果】
【００１９】
この発明によれば、前記印刷情報設定部によって設定された分割数によって、分割画像をそれぞれ印刷する用紙の数と、分割画像に対応した用紙の位置が決定され、前記印刷情報設定部によって設定された印刷順序情報によって、前記用紙の出力順が決定され、糊代位置決定部が、決定された分割画像に対応した用紙の位置と用紙の出力順とに基づいて、各用紙に設ける糊代領域の位置を決定し、糊代番号付与部が、決定された用紙の出力順に対応した糊代番号を各用紙の糊代領域に付与し、出力部が、糊代番号を含む糊代領域と分割画像とが合成された糊代合成画像が印刷された複数の用紙を、印刷順序情報によって決定された出力順に出力するので、印刷される用紙の出力順に対応して糊代領域の位置や糊代番号を設定することができ、さらに、ユーザが、複数の用紙を貼り合わせて、拡大されたもとの画像情報を完成するために行う貼付作業の負担軽減と、時間短縮を図ることができる。
【図面の簡単な説明】
【００２０】
【図１】この発明の画像形成装置の一実施例の構成ブロック図である。
【図２】この発明の画像形成装置で利用する画像情報の一実施例の説明図である。
【図３】この発明の画像形成装置で利用する糊代合成画像データと、分割画像が印刷された用紙の貼付作業の一実施例の説明図である。
【図４】この発明の画像形成装置で設定される印刷順序情報と、分割画像の印刷順序の一実施例の説明図である。
【図５】この発明の画像形成装置で設定される情報の一実施例の説明図である。
【図６】この発明の画像形成装置で設定される分割画像データの一実施例の説明図である。
【図７】この発明の画像形成装置に記憶される糊代情報の一実施例の説明図である。
【図８】この発明の画像形成装置に記憶される糊代情報の一実施例の説明図である。
【図９】図８に示した糊代情報を利用して印刷される用紙の一実施例の概略説明図である。
【図１０】２ｘ２分割（４画像分割）における各用紙に印刷される糊代と、用紙の印刷順序の一実施例の概略説明図である。
【図１１】図１０に示した２ｘ２分割（４画像分割）における糊代情報の一実施例の説明図である。
【図１２】２ｘ２分割（４画像分割）における各用紙の両面に印刷される糊代と、用紙の印刷順序の一実施例の概略説明図である。
【図１３】図１２に示した２ｘ２分割（４画像分割）における糊代情報の一実施例の説明図である。
【図１４】３ｘ３分割（９画像分割）における各用紙に印刷される糊代と、用紙の印刷順序の一実施例の概略説明図である。
【図１５】３ｘ３分割（９画像分割）における各用紙に印刷される糊代と、用紙の印刷順序の一実施例の概略説明図である。
【図１６】この発明の画像形成装置において、用紙の一方の表面に糊代領域を印刷する場合における分割画像の印刷処理の一実施例のフローチャートである。
【図１７】この発明の画像形成装置において、用紙の両面に糊代領域を印刷する場合における分割画像の印刷処理の一実施例のフローチャートである。
【図１８】この発明の画像形成装置の他の一実施例の構成ブロック図である。
【発明を実施するための形態】
【００２１】
以下、図面を使用して本発明の実施の形態を説明する。なお、以下の実施例の記載によって、この発明が限定されるものではない。
＜画像形成装置の構成＞
図１に、この発明の画像形成装置の一実施例の概略構成図を示す。
図１において、この発明の画像形成装置は、主として、制御部１１、操作部１２、情報入力部１３、表示部１４、出力部１５、印刷情報設定部１６、分割画像形成部１７、印刷順序決定部１８、糊代位置決定部１９、糊代番号付与部２０、糊代画像合成部２１、記憶部３０を備える。
この図１の画像形成装置は、複写機能に加えて、画像情報をスキャナや外部記憶装置から入力する機能などを備えた複合機に相当するものを示している。
【００２２】
ただし、たとえば、操作部１２、情報入力部１３、表示部１４、出力部１５については、外部の機器を利用し、その他の構成要素の部分を画像形成装置に備え、所定のインタフェースを利用して、外部の機器を画像形成装置に接続する構成としてもよい。
また、パソコンや携帯端末などの情報処理装置と、画像形成装置とを所定の通信回線で接続する構成としてもよく、この場合には、たとえば、図１８に示すように、制御部１１、操作部１２、表示部１４などに相当する機能を備えた情報処理装置を、その他の構成要素の部分を備えた画像形成装置に、接続する構成としてもよい。
【００２３】
さらに、画像形成装置が、画像情報を受信する受信機能と、その画像情報を所定の用紙に出力する出力機能のみを有するプリンタの場合は、たとえば、パソコン等の情報処理装置に、図１の出力部１５以外の構成要素の部分と、通信部とを備えるようにし、情報処理装置で生成された画像情報をプリンタに送信するような構成としてもよい。
図１に示した画像形成装置の各構成要素の機能を、どのような構成で実現するかについては、上記した構成例に限定されるものではなく、他の種々の構成形態をとることができる。
【００２４】
制御部１１は、操作部などの各構成要素の動作を制御する部分であり、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の分割画像形成機能、糊代画像合成機能などを実行する。
【００２５】
この発明では、分割画像が形成された複数の用紙を貼り合わせてもとの画像情報を完成させるために、印刷情報設定部１６によって設定された印刷順序情報と分割数とに基づいて、用紙ごとに、用紙の出力順と、他の用紙を貼り合わせるために設ける糊代領域の位置を決定し、糊代領域に用紙の出力順に対応した糊代番号を付与し、出力部１５が、糊代番号を含む糊代領域と分割画像とが合成された糊代合成画像が印刷された複数の用紙を、決定された用紙の出力順に、出力することを特徴とする。
【００２６】
操作部１２は、ユーザが、文字などの情報の入力、印刷に関係する情報の入力、機能の選択入力などをする部分であり、たとえば、キーボード、マウス、タッチパネルなどが用いられる。後述するように、ユーザは、タッチパネルなどを利用して、分割画像の印刷機能を実行する場合に、印刷順序情報、分割数などの印刷情報の入力や、画像情報の取得指示入力、印刷開始の指示入力などを行う。
【００２７】
情報入力部１３は、所定の画像情報等を入力する部分であり、たとえば、画像データや文字図形等が記載された書類などの情報を入力する。入力された画像情報は、入力画像情報として、記憶部３０に記憶される。
情報入力部１３としては、画像データを読み取るスキャナや、ＵＳＢメモリなどの外部の記憶媒体を接続するインタフェースが該当する。
画像データや書類などの情報を入力する方法は種々の方法があるが、たとえば、情報が印刷された書面をスキャナで読み取り、読み取った書面の電子データを、記憶部３０に、入力画像情報として記憶する。
【００２８】
また、入力したい画像や書類などの電子データファイルを、ＵＳＢメモリなどの外部の記憶媒体に保存しておき、ＵＳＢメモリ等をＵＳＢ端子などの入力インタフェースに接続し、操作部１２で所定の入力操作を行うことによって、ＵＳＢメモリ等に保存された所望の電子データファイルを読み出して、記憶部３０に、入力画像情報として記憶してもよい。
画像や書類などの情報を取得する方法は、以上のものに限るものではなく、ＬＡＮなどのネットワークを介して、他の情報処理装置から、取得してもよい。
【００２９】
表示部１４は、情報を表示する部分であり、設定情報の入力用画面、各機能の実行に必要な情報、機能の実行の結果などを、表示する。表示部１４としては、たとえば、LCD、有機ELディスプレイなどが用いられ、操作部１２としてタッチパネルが用いられる場合は、表示部とタッチパネルとが重ね合わせて配置される。
【００３０】
出力部１５は、情報を出力する部分であり、たとえば、入力画像情報を分割した分割画像を含む情報が印刷された用紙を出力するプリンタに相当する。また、情報の出力形態は、紙媒体への印刷に限るものではなく、ＵＳＢメモリやＤＶＤなどの記憶媒体への書込や、ネットワークを介した情報処理装置への転送でもよい。
この発明では、出力部１５が、糊代番号を含む糊代領域と分割画像とが合成された糊代合成画像が印刷された複数の用紙を、印刷順序情報によって決定された出力順に出力することを特徴とする。
【００３１】
印刷情報設定部１６は、印刷に関係する設定情報（以下、印刷情報とも呼ぶ）を設定し、記憶部３０に記憶する部分である。たとえば、ユーザが、操作部１２を用いて入力した印刷順序情報、分割数、用紙種別情報、糊代印刷面情報などを含む印刷情報を、設定し、記憶部３０に記憶する。
また、印刷情報設定部１６によって設定された分割数によって、分割画像をそれぞれ印刷する用紙の数と、分割画像に対応した用紙の位置が決定され、印刷情報設定部１６によって設定された印刷順序情報によって、用紙の出力順が決定される。
これらの印刷情報については、後述する。
【００３２】
分割画像形成部１７は、設定された印刷情報を利用して、入力された画像情報を分割して、複数の各用紙に印刷する分割画像（以下、分割画像データとも呼ぶ）を形成する部分である。たとえば、設定された分割数に基づいて、入力画像情報を、分割数に相当する数の分割画像データに分割する。各分割画像データは、入力画像情報の一部分を拡大した画像に相当する。
【００３３】
図２に、この発明の画像形成装置で利用する画像情報の一実施例の説明図を示す。
図２（a）は、情報入力部１３によって入力される入力画像情報を示している。
一般的に、画像や文字が記載された用紙は、長方形形状なので、入力画像情報も、長方形形状の画像であり、ここでは、入力画像情報としては、長方形形状の画像Ｇとする。
【００３４】
図２（b）は、分割画像形成部１７によって形成された分割画像データを示している。図２（b）では、入力画像情報である画像Ｇを４分割したものを示している。
すなわち、画像Ｇを、横方向に２分割し、縦方向に２分割し、４つの分割画像データ（画像g1、画像g2、画像g3、画像g4）を形成している。各分割画像データは、それぞれの分割位置に対応した用紙に、別々に印刷される。たとえば、画像g1は、左上の位置に配置される用紙に印刷され、画像g4は、右下の位置に配置される用紙に印刷される。
また、各分割画像データは、設定された用紙に印刷できるように、所定の倍率で拡大した画像Ｇの一部分の画像である。
【００３５】
たとえば、分割数が、マトリクス状に、縦ｍ個、横ｎ個のｍ×ｎ個に設定された場合は、入力画像情報をｍ×ｎ個に分割して、ｍ×ｎ個の分割画像データを形成する。ｍ×ｎ個の分割画像データは、それぞれの画像を記憶したファイルと、分割位置に対応した用紙番号とを対応付けて、記憶部３０に記憶される。
【００３６】
印刷順序決定部１８は、設定された印刷情報を利用して、分割画像データがそれぞれ印刷される用紙の印刷順序（出力順序とも呼ぶ）を、決定する部分である。印刷順序は、主として、上記した印刷順序情報に基づいて決定される。
たとえば、後述するように、印刷順序情報として、Ｚ順が設定された場合、まず、横方向の第１列目の複数枚の用紙が、左側から順に出力され、次に、横方向の第２列目の複数枚の用紙が、左側から順に出力されるように、各用紙の印刷順序が設定される。すなわち、アルファベットのＺの文字の書き順に対応するような印刷順序が設定される。また、印刷順序情報として、Ｎ順が設定された場合、アルファベットのＮの文字の書き順に対応するような印刷順序が設定される。
【００３７】
糊代位置決定部１９は、印刷情報設定部１６によって設定された印刷情報を利用して、用紙ごとに、他の用紙を貼り合わせるために設ける糊代領域の位置を決定する部分である。糊代領域の位置（以下、糊代位置とも呼ぶ）は、主として、上記した印刷順序情報と分割数に基づいて決定される。
分割画像データが印刷された各用紙と隣接する用紙の所定の辺の周辺領域を互いに貼り付けることによって、最終的に、拡大された入力画像情報が完成する。隣接する用紙を貼り付けるために、各用紙の所定の辺の周辺領域に、糊代領域が設けられる。
【００３８】
この各用紙に設けられる糊代領域の位置は、分割画像に対応した用紙の位置と、用紙の出力順とに基づいて決定され、分割画像の位置によって異なる。
分割画像に対応した用紙の位置とは、分割画像が印刷された用紙を貼り合わせて、もとの画像情報を完成させるときに配置される用紙の位置である。
図２（c）は、後述する糊代合成画像データを示しているが、たとえば、分割数が、２×２であり、印刷順序情報がＺ順である場合、図２（c）に示すような位置に、糊代領域が設けられる。糊代領域の形状は、長方形形状とし、短辺の長さ（幅）を、たとえば、１〜２ｃｍ程度とする。
【００３９】
図２（c）において、たとえば、画像g1が印刷される左上の用紙には、その右辺と下辺の周辺近傍に、糊代Ｎ１が設けられる。また、画像g2が印刷される右上の用紙には、その下辺の周辺近傍に、糊代Ｎ２が設けられる。さらに、画像g3が印刷される左下の用紙には、その右辺の周辺近傍に、糊代Ｎ３が設けられる。ただし、画像g4が印刷される右下の用紙には、糊代領域は設けない。
また、印刷順序情報がＺ順である場合、糊代領域が設けられた糊代合成画像データを印刷した４枚の用紙は、画像g1が印刷された左上の用紙、画像g2が印刷された右上の用紙、画像g3が印刷された左下の用紙、画像g4が印刷された右下の用紙の順に出力される。
【００４０】
各用紙に印刷される分割画像データ（g1、g2、g3、g4）の部分は、もとの画像Ｇを同じ倍率で拡大した部分画像であるので、同一面積を持つが、各用紙に印刷される糊代領域の位置と面積が異なる。したがって、各用紙の大きさは同一なので、用紙によっては、分割画像データと糊代領域を除いた部分に、空白領域のある用紙もある。たとえば、図２（c）の画像g4が印刷される右下の用紙には、糊代領域は設けられないので、他の用紙の糊代領域に対応する位置の部分は、空白領域となる。
【００４１】
印刷に用いる用紙には、表面と裏面とがあるが、糊代番号を含む糊代領域が、原則として、分割画像が印刷された面と同じ用紙の面に、設けられる。以下、分割画像データを印刷する側の面を、表面と呼び、分割画像データを印刷しない側の面を、裏面と呼ぶ。
ただし、糊代印刷面情報に、「表裏両面」が設定された場合や、用紙種別情報に、両面印刷が可能な用紙が設定された場合は、糊代番号を含む糊代領域を、用紙の両面（表面と裏面）に設けてもよい。
【００４２】
また、糊代番号を含む糊代領域が、用紙の両面に設けられる場合、分割画像が印刷された面と同じ表面に設けられる糊代領域の位置と、分割画像が印刷されない裏面に設けられる糊代領域の位置とを異ならせてもよい。
なお、用紙種別情報に、両面印刷をすることができない厚紙、光沢紙、写真用紙が設定された場合は、分割画像データを印刷する側の表面のみに、糊代領域を設定する。
【００４３】
糊代番号付与部２０は、糊代位置決定部１９によって決定された各用紙の糊代領域に、糊代番号を付与する部分である。糊代番号は、印刷順序情報と、分割位置に対応する用紙の位置によって設定される。
この糊代領域に付与される糊代番号は、印刷順序情報によって決定された用紙の出力順に対応した番号であり、用紙の糊代領域の中に印刷される。
また、用紙の糊代領域に付与される糊代番号は、その用紙と他の用紙とを貼り合わせるときに、糊代領域に糊をつける順番（貼付順序）も示している。
【００４４】
後述する図３（a）には、糊代番号付きの糊代合成画像データを示している。
図３（a）において、たとえば、画像g1が印刷される左上の用紙の糊代領域には、糊代番号として、Ｎ１を印刷する。糊代番号Ｎ１は、貼付順序が１番目であることを意味する。
また、画像g2が印刷される右上の用紙の糊代領域には、糊代番号Ｎ２を印刷し、画像g3が印刷される左下の用紙の糊代領域には、糊代番号Ｎ３を印刷する。
【００４５】
糊代画像合成部２１は、分割画像データと、糊代番号を含む糊代領域とを合成した糊代合成画像データを生成する部分である。糊代合成画像データは、各用紙に印刷されるデータである。
糊代領域の部分は、糊代番号以外は空白でもよいが、糊代領域を視覚的に確認しやすくするために、糊代領域と分割画像データの境界を示す破線を印刷したり、糊代領域に相当する部分に、斜線、網点、その他任意の模様パターンなどを印刷したりしてもよい。
記憶部３０については、後述する。
【００４６】
＜分割画像が印刷された用紙の貼付作業＞
図３に、この発明の画像形成装置で利用する糊代合成画像データと、分割画像が印刷された用紙の貼付作業の一実施例の説明図を示す。
上記したように、図２（c）は、印刷順序がＺ順の場合の糊代合成画像データを示しており、図３（a）は、印刷順序がＺ順の場合に、用紙に印刷される糊代番号付きの糊代合成画像データを示している。ここで、各用紙に印刷される画像データは、いずれも、４分割の分割画像である。
印刷順序がＺ順の場合は、上記したように、画像g1が印刷された左上の用紙、画像g2が印刷された右上の用紙、画像g3が印刷された左下の用紙、画像g4が印刷された右下の用紙の順に出力される。
【００４７】
図３（b-1）から図３（b-3）は、画像g1が印刷された左上の用紙に、画像g2が印刷された右上の用紙を貼付する様子を示している。
作業者が貼付作業をする場合、最初に、画像g1が印刷された左上の用紙の糊代領域Ｎ１に、糊を付ける。
左上の用紙の糊代領域Ｎ１に糊を付けた後、図３（b-1）および図３（b-2）と、図３（c-1）に示すように、作業者は、左上の用紙の右辺近傍の糊代領域Ｎ１の上に、画像g2が印刷された右上の用紙の左辺部分を重ねて、左上の用紙と右上の用紙とを貼り合わせる。これにより、図３（b-3）および図３（c-2）に示すように、左上の用紙の右辺近傍の糊代領域Ｎ１を介して、２つの分割画像（g1とg2）が結合される。
【００４８】
次に、画像g2が印刷された右上の用紙の糊代領域Ｎ２に、糊を付ける。
図３（c-3）に示すように、作業者は、２つの分割画像（g1とg2）が結合された用紙の糊代領域Ｎ１とＮ２の上に、画像g3が印刷された左下の用紙の上辺部分を重ねて、結合用紙と、画像g3が印刷された左下の用紙とを貼り合わせる。
これにより、図３（c-4）に示すように、糊代領域Ｎ１とＮ２を介して、３つの分割画像（g1、g2、g3）が結合される。
【００４９】
次に、画像g3が印刷された左下の用紙の糊代領域Ｎ３に、糊を付ける。
図３（c-5）に示すように、作業者は、３つの分割画像（g1、g2、g3）が結合された用紙の糊代領域Ｎ２とＮ３の上に、画像g4が印刷された右下の用紙の上辺部分と左辺部分を重ねて、結合用紙と、画像g4が印刷された右下の用紙とを貼り合わせる。
【００５０】
これにより、図３（c-6）に示すように、糊代領域Ｎ１とＮ２とＮ３を介して、４つの分割画像（g1、g2、g3、g4）が結合され、もとの画像Ｇが拡大された用紙が完成する。
このように、作業者は、糊代領域に印刷された糊代番号の順に、糊代領域に糊代を付けて、出力された用紙の順に、用紙同士を貼り付ける作業を繰り返せばよいので、貼付作業の負担を軽減でき、貼付作業にかかる時間を短縮できる。
【００５１】
また、２人で貼付作業をする場合は、貼付作業の一部を並行して行うことができる。
たとえば、１人が、画像g1が印刷された左上の用紙と、画像g2が印刷された右上の用紙を貼付して、図３（c-2）に示したような第１の結合用紙を作る。
一方、他の者が、画像g3が印刷された左下の用紙の糊代領域Ｎ３に、糊を付けて、画像g3が印刷された左下の用紙と、画像g4が印刷された右下の用紙とを貼り合わせて、左下の用紙と右下の用紙とを結合した第２の結合用紙を作る。
【００５２】
次に、左上の用紙の下辺近傍の糊代領域Ｎ１と、右上の用紙の下辺近傍の糊代領域Ｎ２とを介して、第１の結合用紙と第２の結合用紙とを、貼り合わせる。これにより、図３（c-6）に示すように、もとの画像Ｇが拡大された用紙が完成する。
２人で貼付作業をする場合は、結合用紙を作る作業が並行してできるので、貼付作業にかかる時間をより短縮できる。
なお、２人で貼付作業をする場合は、他の者が行う作業順序を示すように、画像g3が印刷された左下の用紙の糊代領域には、糊代番号として、Ｎ１を印刷してもよい。
【００５３】
＜記憶部に記憶される情報の説明＞
記憶部３０は、この発明の画像形成装置の各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部３０には、たとえば、入力画像情報３１、印刷順序情報３２、分割数３３、用紙種別情報３４、糊代印刷面情報３５、糊代情報３６、分割画像データ３７、糊代合成画像データ３８などが記憶される。
【００５４】
入力画像情報３１は、上記した情報入力部１３によって、入力される情報であり、たとえば、jpegなどの既存の画像形式を持つ画像データである。
印刷順序情報３２は、分割画像データを含む用紙を印刷する順序を決めるための設定情報であり、各用紙を出力する順番を特定する情報である。
たとえば、印刷順序情報３２には、Ｚ順、逆Ｚ順、Ｎ順および逆Ｎ順のうち、いずれかがが設定される。
【００５５】
分割数３３は、入力画像情報３１を分割する数を意味し、印刷する用紙の数に相当する。入力された画像情報を、縦方向がｍ個と、横方向がｎ個のマトリクス状の分割画像に分割する場合は、分割数３３には、縦方向に配置される用紙の枚数ｍ（縦方向の分割数ｍ）と、横方向に配置される用紙の枚数ｎ（横方向の分割数ｎ）とが設定される。
【００５６】
用紙種別情報３４は、分割画像を印刷する用紙の種別を示す情報であり、たとえば、普通紙、厚紙、光沢紙などが設定される。
糊代印刷面情報３５は、糊代に関する情報を印刷する用紙の面を意味する設定情報であり、たとえば、用紙の表面のみに糊代を印刷する場合は、表面のみを意味する情報が設定され、用紙の両面に糊代を印刷する場合は、表裏両面を意味する情報が設定される。
【００５７】
また、印刷情報設定部１６によって、印刷情報として用紙種別情報３４を設定し、用紙種別情報３４に設定された用紙が、両面印刷が可能な用紙である場合、糊代位置決定部１９が、用紙ごとに、分割画像が印刷された面と同じ表面に設ける糊代領域の位置と、分割画像が印刷されない裏面に設ける糊代領域の位置とを決定する。
【００５８】
あるいは、印刷情報設定部１６によって、印刷情報として糊代印刷面情報３５を設定し、糊代印刷面情報３５に、用紙の両面に糊代領域を設けることを示す情報が設定された場合、糊代位置決定部１９が、用紙ごとに、分割画像が印刷された面と同じ表面に設ける糊代領域の位置と、分割画像が印刷されない裏面に設ける糊代領域の位置とを決定する。
【００５９】
ただし、印刷情報設定部１６によって、印刷情報として、用紙種別情報３４と糊代印刷面情報３５を設定し、糊代印刷面情報３５に、用紙の両面に糊代領域を設けることを示す情報が設定された場合であっても、用紙種別情報３４に設定された用紙が、両面印刷ができない用紙である場合、糊代位置決定部１９は、分割画像が印刷された面と同じ表面のみに設ける糊代領域の位置を決定する。
【００６０】
糊代情報３６は、糊代に関係する情報であり、後述するように、たとえば、用紙番号と、用紙に印刷される糊代の位置を示す情報と、糊代番号と、用紙の印刷順序とを対応付けて記憶した情報である。糊代情報３６は、上記した印刷順序決定部１８と、糊代位置決定部１９と、糊代番号付与部２０によって、生成される。
この糊代情報３６を利用して、決定された印刷順序で、各用紙にそれぞれ対応する糊代画像合成データが生成され、糊代画像合成データが印刷された複数枚の用紙が、順次出力される。
【００６１】
分割画像データ３７は、図２（b）に示したように、入力画像情報３１を分割した画像データであり、たとえば、各分割画像データを記憶した分割画像ファイルと、その分割画像データを印刷する用紙の番号とを対応付けて記憶した情報である。
【００６２】
糊代合成画像データ３８は、図２（c）に示したように、分割画像データと、その分割画像データを印刷する用紙に設ける糊代領域の情報とを合成した画像データであり、図３（a）に示したように、糊代領域の情報には、糊代番号が含まれる。
【００６３】
図４から図８に、記憶部３０に記憶される情報の一実施例の説明図を示す。
図４に、この発明の画像形成装置で設定される印刷順序情報と、分割画像の印刷順序の一実施例の説明図を示す。
図４（a）に、印刷順序情報３２として設定される情報の例を示す。
印刷順序情報３２は、分割画像を印刷する用紙をマトリクス状に配置した場合に、印刷して出力する用紙の順序を意味する情報であり、ここでは、Ｚ順、逆Ｚ順、Ｎ順、逆Ｎ順の４つの情報のうち、いずれかが、操作部１２によって設定入力されるものとする。
印刷順序情報を設定するためには、たとえば、これらの４つの情報の名称を表示部１４にリスト表示し、ユーザが、所望の情報を選択入力するようにしてもよい。
【００６４】
図４（b-1）は、入力画像情報Ｇを、マトリクス的に、縦３個、横３個の３×３分割することを示したものであり、図４（b-2）は、入力画像情報Ｇを、３×３分割した場合の９つの分割画像（G11からG33）をそれぞれ印刷する９枚の用紙の配置を示している。たとえば、左上の分割画像G11は、左上の用紙に印刷されることを意味する。
【００６５】
図４（c-1）から図４（c-4）は、図４（b-2）に示した９枚の用紙について、４つの印刷順序情報に対応する印刷順序を示している。
たとえば、図４（c-1）は、印刷順序情報３２として、Ｚ順が設定された場合の用紙の印刷順序（出力順序）を示している。この場合は、図４（b-2）のように配置された９枚の用紙が、アルファベットのＺの文字を描くような順序で、出力される。分割画像の位置で言えば、G11、G21、G31、G12、G22、G32、G13、G23、G33の順序で、９枚の用紙が出力される。
【００６６】
図４（c-2）は、印刷順序情報３２として、逆Ｚ順が設定された場合の用紙の印刷順序（出力順序）を示している。この場合は、９枚の用紙が、アルファベットの逆Ｚの文字を描くような順序で、出力される。
図４（c-3）は、印刷順序情報３２として、Ｎ順が設定された場合の用紙の印刷順序（出力順序）を示している。この場合は、９枚の用紙が、アルファベットのＮの文字を描くような順序で、出力される。
【００６７】
図４（c-4）は、印刷順序情報３２として、逆Ｎ順が設定された場合の用紙の印刷順序（出力順序）を示している。この場合は、９枚の用紙が、アルファベットの逆Ｎの文字を描くような順序で、出力される。
このように、印刷順序情報３２が設定されることによって、分割画像が印刷された用紙の印刷順序（出力順序）が決定される。
【００６８】
図５に、この発明の画像形成装置で設定される情報の一実施例の説明図を示す。
ここでは、分割数３３と、用紙種別情報３４と、糊代印刷面情報３５の一実施例を示す。
図５（a-1）は、分割数３３を示したものであり、分割数３３として、入力画像情報Ｇをマトリクス的に分割した場合の縦の分割数ｍと、横の分割数ｎとを設定する。
たとえば、図５（a-2）に示すように、ユーザが、入力画像情報Ｇを縦３個、横２個の３×２分割したい場合は、分割数３３を設定する画面を表示させ、縦（ｍ）の入力欄に、３を入力し、横（ｎ）の入力欄に、２を入力すればよい。
【００６９】
これにより、入力画像情報Ｇは、縦方向に３つの分割画像に分割され、横方向に２つの分割画像に分割され、合計６つの分割画像に分割されることが設定される。また、分割画像のそれぞれの位置（分割位置）は、各分割画像が印刷される用紙の位置に対応するので、各分割画像が印刷される用紙の配置も設定されることになる。
【００７０】
また、図５（a-3）は、入力画像情報Ｇを縦ｍ個、横ｎ個のｍ×ｎ分割した場合のｍ×ｎ個の分割画像の位置（分割位置）を示している。言いかえれば、ｍ×ｎ個の各分割画像が印刷される用紙の配置を示している。
このように、分割数３３が設定されることによって、分割画像の数と位置が決定され、分割画像をそれぞれ印刷する用紙の数と、分割画像に対応した用紙の位置が決定される。
【００７１】
図５（b）は、用紙種別情報３４を示したものであり、たとえば、ユーザは、予め設定された複数の用紙種別からなるリストを表示させ、所望の用紙種別を選択入力すればよい。図５（b）には、用紙種別情報３４として、普通紙と厚紙を示しているが、この他に、光沢紙、写真用紙などを、リストの選択肢に加えてもよい。
【００７２】
また、設定された用紙の種別によっては、両面印刷が可能な用紙もあれば、片面印刷のみ可能で両面印刷ができない用紙もある。たとえば、光沢紙、写真用紙などは、両面印刷ができない用紙である。両面印刷ができない用紙は、予め、両面印刷ができないことを示す情報を設定しておけばよい。
そこで、用紙種別情報３４として、両面印刷ができない用紙が設定された場合は、糊代印刷面情報３５の設定内容にかかわらず、両面印刷が禁止され、糊代番号を含む糊代領域の情報は、印刷可能な一方の表面のみに印刷するようにする。
【００７３】
図５（c）は、糊代印刷面情報３５を示したものであり、糊代領域の情報を印刷する用紙の面が設定される。たとえば、「表面のみ」と「表裏両面」からなる糊代印刷面設定用画面を表示させ、ユーザが、所望の糊代印刷面を選択入力すればよい。
「表面のみ」は、用紙の表面のみに糊代領域を設けることを示す情報であり、「表面のみ」を選択入力した場合は、分割画像が印刷される用紙の面と同じ表面に、糊代番号を含む糊代領域の情報を印刷する。
【００７４】
「表裏両面」は、用紙の両面に糊代領域を設けることを示す情報であり、「表裏両面」を選択入力した場合は、分割画像が印刷される用紙の面と、分割画像が印刷されない裏面との両方の面に、糊代番号を含む糊代領域の情報を印刷する。
ただし、上記したように、用紙種別情報３４として、両面印刷ができない用紙が設定された場合は、「表裏両面」が設定されていたとしても、「表裏両面」は採用されず、「表面のみ」が選択入力されたものとして扱われる。
【００７５】
図６に、この発明の画像形成装置で設定される分割画像データの一実施例の説明図を示す。
上記したように、分割画像データ３７は、分割画像形成部１７によって、印刷順序情報３２と分割数３３を利用して、形成される。
図６（a）は、図５（a-2）に示すように、入力画像情報Ｇを、縦３個、横２個の３×２分割した場合の分割画像データ３７を示している。
図６（b）は、入力画像情報Ｇを３×２分割した場合の分割画像の位置と、印刷用紙との関係を示している。
【００７６】
ここでは、分割画像データ３７としては、用紙番号と、分割画像ファイルとを対応づけたものを示している。
用紙番号は、印刷順序情報３２と分割数３３に基づいて、分割数３３に相当する数だけ生成され、分割画像の位置に対応した番号が設定される。たとえば、用紙番号P11 の用紙は、分割画像G11を印刷する用紙であり、複数枚の用紙を貼り合わせる場合に、分割画像G11の位置に配置される用紙である。
図６では、入力画像情報Ｇは、６つの分割画像（G11からG23）に分割され、各分割画像は、分割画像ファイル（dg11からdg23）として、記憶部３０に記憶される。
分割画像の識別番号（G11からG23）は、分割位置を示している。
【００７７】
たとえば、分割位置G11の分割画像は、dg11という名称の分割画像ファイルとして記憶され、さらに、この分割位置G11に対応する用紙番号がP11の用紙に印刷されることを示している。
また、分割位置G23の分割画像は、dg23という名称の分割画像ファイルとして記憶され、この分割位置G23に対応する用紙番号がP23の用紙に印刷されることを示している。
分割画像データ３７を参照することにより、各用紙に印刷すべき分割画像が特定され、特定された分割画像と糊代領域の情報とが合成される。
【００７８】
図７と、図８に、この発明の画像形成装置に記憶される糊代情報の一実施例の説明図を示す。
図７は、縦３個、横２個の分割（３×２分割）をした場合で、印刷順序情報がＺ順の場合の糊代情報３６を示している。
図７（a）において、糊代情報３６は、用紙番号と、糊代位置と、糊代番号と、印刷順序とからなるものを示している。
図７（b）は、３×２分割をした場合で、印刷順序情報がＺ順の場合に、各用紙に印刷される糊代番号を含む糊代画像合成データの概要を示している。
【００７９】
糊代情報３６は、主として、設定された印刷順序情報３２と分割数３３に基づいて、生成される。
まず、印刷順序情報３２と分割数３３が設定されると、印刷する用紙の数と配置が決定され、用紙の位置に対応して、糊代情報３６の各用紙の番号（用紙番号）が設定される。用紙番号の数字は、分割画像の位置（分割位置）の数字に対応する。
さらに、印刷順序決定部１８によって、印刷順序情報３２に基づいて、糊代情報３６の各用紙の印刷順序が設定される。
【００８０】
３×２分割の場合は、用紙の数は６であり、P11からP23までの６つの用紙番号が設定され、印刷順序情報３２がＺ順の場合は、図７（a）に示すように、P11からP23までの用紙番号の順に、印刷順序（001から006）が設定される。
【００８１】
次に、糊代位置決定部１９によって、印刷順序情報３２と分割数３３に基づいて、各用紙に設ける糊代領域の位置（糊代位置）が決定され、糊代情報３６の各用紙番号に対応する糊代位置が設定される。
３×２分割で、印刷順序情報がＺ順の場合、たとえば、図７（b）において、用紙番号がP11とP12の用紙には、その右辺と下辺の近傍に、糊代位置が設けられるので、糊代情報３６の用紙番号P11とP12に対応する糊代位置に、たとえば、「右下」という情報が設定される。
【００８２】
また、図７（a）の用紙番号P21とP22に対応する糊代位置には、「下」という情報が設定されているが、これは、図７（b）に示すように、用紙番号がP21とP22の用紙の下辺の近傍に、糊代位置を設けることを意味する。
また、用紙番号がP13の用紙には、その右辺の近傍に、糊代位置が設けられるので、糊代情報３６の用紙番号P13に対応する糊代位置には、「右」という情報が設定される。なお、用紙番号がP23の用紙には、糊代位置は設定されない。
【００８３】
さらに、糊代番号付与部２０によって、印刷順序情報３２と、分割位置に対応する用紙の位置に基づいて、各用紙に設ける糊代領域の番号（糊代番号）が付与され、糊代情報３６の各用紙番号に対応する糊代番号が設定される。
３×２分割で、印刷順序情報がＺ順の場合、用紙番号がP11、P21、P12、P22、P13、P23の順に印刷されるので、糊代情報３６の糊代番号は、印刷順序の順番に対応させて、設定される。
【００８４】
たとえば、用紙番号がP11の用紙は、印刷順序が001なので、対応する糊代番号には、Ｎ１が設定される。また、印刷順序が002の用紙P21には、糊代番号としてＮ２が設定され、同様に、印刷順序が005の用紙P13には、糊代番号としてＮ５が設定される。
このように、糊代情報３６が設定されると、この糊代情報３６を利用して、糊代画像合成部２１が、印刷順序ごとに、糊代合成画像データ３８を生成して、各用紙に印刷する。
【００８５】
なお、印刷順序情報３２と分割数３３などの設定情報が設定入力されると、分割画像とともに、用紙の数と位置、および用紙の印刷順序が一意的に決定され、さらに、糊代領域の位置と糊代番号も一意的に決定される。
したがって、印刷準備段階で図７（a）のような糊代情報３６を設定する必要はなく、用紙の印刷順序に従って、各用紙を実際に印刷する直前に、その都度、各用紙に印刷する糊代合成画像データ３８を生成して、各用紙に印刷し、各用紙を順に出力してもよい。
【００８６】
図８は、縦ｍ個、横ｎ個の分割（ｍ×ｎ分割）をした場合で、印刷順序情報がＺ順の場合の糊代情報３６を示している。
ここでは、用紙番号として、Ｐn,mという表記を用いている。
図９に、図８に示した糊代情報を利用して印刷される用紙の一実施例の概略説明図を示す。
ここでは、縦ｍ個、横ｎ個の分割（ｍ×ｎ分割）をした場合で、印刷順序情報がＺ順の場合の、各用紙に印刷される糊代合成画像データ３８の概要を示している。
各用紙は、図８の糊代情報３６に設定された印刷順序にしたがって、出力される。
【００８７】
図９の場合は、印刷順序情報がＺ順なので、用紙番号がP1,1の用紙が最初に出力され、次に右横のP2,1の用紙が出力され、その行の右端の用紙番号がPn,1の用紙が出力された後、その次の行の左端の用紙番号がP1,2の用紙が出力される。すなわち、横方向に一列のｎ個の用紙が、左から右の順序で出力された後、次の行に移り、同様の出力順序で各用紙が出力され、最後に、最後の行の右端の用紙番号がPn,mの用紙が出力される。
【００８８】
また、各用紙に印刷される糊代領域の情報は、図８の糊代情報３６に設定された糊代位置と、糊代番号にしたがって、印刷される。図９では、糊代領域の位置を斜線で示し、印刷される糊代番号を、糊代領域の外側の近傍に示している。
【００８９】
図９において、糊代領域を設ける位置は、３パターンある。
まず、最初の行の用紙P1,1から、横方向のPn-1,1までのn-1個の用紙には、右辺近傍と、下辺近傍に、糊代領域を設ける。同様に、第２行目の用紙P1,2からPn-1,2までのn-1個の用紙から、最終行の一つ前の第ｍ−１行目の用紙P1,m-1からPn-1,m-1までのn-1個の用紙までの間の各行のn-1個の用紙についても、右辺近傍と、下辺近傍に、糊代領域を設ける。
【００９０】
次に、最初の行から、最終行の一つ前の第ｍ−１行目までの各行の右端の用紙Pn,1, Pn,2, Pn,3, ………, Pn,m-1のm-1個の用紙については、下辺近傍に、糊代領域を設ける。
さらに、最終行の用紙P1,mから、Pn-1,mまでのn-1個の用紙については、右辺近傍に、糊代領域を設ける。
ただし、最終行の右端の用紙Pn,mには、糊代領域を設けない。
【００９１】
また、糊代情報３６の糊代番号は、用紙の印刷順序に対応した番号を付与しているが、図９では、横方向の行ごとに、ｎ枚の用紙について、１人の作業者が貼付作業を担当し、合計ｍ人の作業者で貼付作業をする場合を想定し、行毎に、Ｎ１からＮｎまでの番号を付与している。各作業者は、Ｎ１からＮｎまでの糊代番号の順に、糊をつけて、貼付作業をすればよい。
すなわち、第１行から第ｍ−１行までの各行の左端の用紙の糊代領域には、糊代番号として、Ｎ１を付与し、第１行から第ｍ−１行までの各行の右端の用紙の糊代領域には、糊代番号として、Ｎｎを付与している。最終行については、右端の用紙Pn,mには、糊代領域を設けないので、最終行の用紙P1,mから、Pn-1,mまでのn-1個の用紙について、それぞれ、Ｎ１からＮn-1までの糊代番号を付与している。
【００９２】
ただし、全用紙の貼付作業を１人の作業者が実施する場合などについては、図７のように、最終行の右端の用紙Pn,mを除いて、第１行の用紙P1,1から最終行の用紙Pn-1,mまで、連続する糊代番号を付与してもよい。
【００９３】
＜用紙の印刷順序と、用紙に印刷される糊代の位置との説明＞
以下に、設定された印刷順序情報ごとに、用紙の印刷順序と、各用紙に印刷される糊代の位置を説明する。特に、設定される印刷順序情報が異なれば、各用紙に設けられる糊代領域の位置と、糊代領域に付与される糊代番号が異なることを説明する。
【００９４】
（用紙印刷例１）
図１０に、２ｘ２分割（４画像分割）における各用紙に印刷される糊代と、用紙の印刷順序の一実施例の概略説明図を示す。
図１１に、図１０に示した２ｘ２分割（４画像分割）における糊代情報の一実施例の説明図を示す。
ここでは、２ｘ２分割（４画像分割）なので、４つの用紙（P11からP22）に、分割画像（G11からG22）が印刷される。
また、糊代領域を、用紙の一方の面（表面）に印刷する場合を示す。
【００９５】
図１０（a）に、印刷順序情報がＺ順の場合について、各用紙に印刷される糊代と、用紙の印刷順序を示す。
また、図１１（a）に、印刷順序情報がＺ順の場合についての糊代情報を示す。
印刷順序情報がＺ順の場合、図１０（a）に示すように、４つの用紙は、P11、P21、P12、P22の順に印刷される。
用紙P11には、右辺近傍と下辺近傍に、糊代番号Ｎ１が印刷される糊代領域が設けられる。
用紙P21には、下辺近傍に、糊代番号Ｎ２が印刷される糊代領域が設けられる。
用紙P12には、右辺近傍に、糊代番号Ｎ３が印刷される糊代領域が設けられる。
ただし、用紙P22には、糊代領域が設けられない。
【００９６】
図１０（b）に、印刷順序情報が逆Ｚ順の場合について、各用紙に印刷される糊代と、用紙の印刷順序を示す。
また、図１１（b）に、印刷順序情報が逆Ｚ順の場合についての糊代情報を示す。
印刷順序情報が逆Ｚ順の場合、図１０（b）に示すように、４つの用紙は、P21、P11、P22、P12の順に印刷される。
用紙P21には、左辺近傍と下辺近傍に、糊代番号Ｎ１が印刷される糊代領域が設けられる。
用紙P11には、下辺近傍に、糊代番号Ｎ２が印刷される糊代領域が設けられる。
用紙P22には、左辺近傍に、糊代番号Ｎ３が印刷される糊代領域が設けられる。
ただし、用紙P12には、糊代領域が設けられない。
【００９７】
図１０（c）に、印刷順序情報が逆Ｎ順の場合について、各用紙に印刷される糊代と、用紙の印刷順序を示す。
また、図１１（c）に、印刷順序情報が逆Ｎ順の場合についての糊代情報を示す。
印刷順序情報が逆Ｎ順の場合、図１０（c）に示すように、４つの用紙は、P11、P12、P21、P22の順に印刷される。
用紙P11には、右辺近傍と下辺近傍に、糊代番号Ｎ１が印刷される糊代領域が設けられる。
用紙P12には、右辺近傍に、糊代番号Ｎ２が印刷される糊代領域が設けられる。
用紙P21には、下辺近傍に、糊代番号Ｎ３が印刷される糊代領域が設けられる。
ただし、用紙P22には、糊代領域が設けられない。
【００９８】
図１０（d）に、印刷順序情報がＮ順の場合について、各用紙に印刷される糊代と、用紙の印刷順序を示す。
また、図１１（d）に、印刷順序情報がＮ順の場合についての糊代情報を示す。
印刷順序情報がＮ順の場合、図１０（d）に示すように、４つの用紙は、P21、P22、P11、P12の順に印刷される。
用紙P21には、左辺近傍と下辺近傍に、糊代番号Ｎ１が印刷される糊代領域が設けられる。
用紙P22には、左辺近傍に、糊代番号Ｎ２が印刷される糊代領域が設けられる。
用紙P11には、下辺近傍に、糊代番号Ｎ３が印刷される糊代領域が設けられる。
ただし、用紙P12には、糊代領域が設けられない。
【００９９】
（用紙印刷例２）
図１２に、２ｘ２分割（４画像分割）における各用紙の両面に印刷される糊代と、用紙の印刷順序の一実施例の概略説明図を示す。
図１３に、図１２に示した２ｘ２分割（４画像分割）における糊代情報の一実施例の説明図を示す。
ここでは、２ｘ２分割（４画像分割）なので、４つの用紙（P11からP22）に、分割画像（G11からG22）が印刷される。
【０１００】
また、用紙印刷例１とは異なり、糊代領域を、用紙の両面に印刷する場合を示す。
この場合、糊代領域を用紙の両面に印刷するので、図１３に示すように、糊代情報３６の糊代位置と糊代番号は、表面と、裏面に分けて設定するものとする。
ここで、表面は、分割画像を印刷する面と同じ面とし、裏面は、分割画像を印刷する面と異なる面とする。
【０１０１】
図１２（a）に、印刷順序情報がＺ順の場合について、各用紙に印刷される糊代と、用紙の印刷順序を示す。
また、図１３（a）に、印刷順序情報がＺ順の場合についての糊代情報を示す。
印刷順序情報がＺ順の場合、図１２（a）に示すように、４つの用紙は、P11、P21、P12、P22の順に印刷される。
【０１０２】
用紙P11の表面には、右辺近傍と下辺近傍に、糊代番号Ｎ１が印刷される糊代領域が設けられる。
用紙P21の表面には、下辺近傍に、糊代番号Ｎ２が印刷される糊代領域が設けられる。さらに、用紙P21の裏面には、左辺近傍に、糊代番号Ｎ１が印刷される糊代領域が設けられる。
用紙P11と用紙P21とを貼り合わせる場合、用紙P11の表面に印刷された糊代番号Ｎ１の糊代領域の上に、用紙P21の裏面に印刷された糊代番号Ｎ１の糊代領域が重なるように、貼り合わせればよい。
これにより、貼り合わせる２つの用紙の表面と裏面に、同じ糊代番号が印刷された糊代領域を設けているので、貼付作業が容易となり、貼付作業時間を短縮できる。
【０１０３】
用紙P12の表面には、右辺近傍に、糊代番号Ｎ３が印刷される糊代領域が設けられる。
さらに、用紙P12の裏面には、上辺近傍に、糊代番号Ｎ１が印刷される糊代領域が設けられる。
用紙P22の裏面には、上辺近傍に、糊代番号Ｎ２が印刷される糊代領域が設けられ、左辺近傍に、糊代番号Ｎ３が印刷される糊代領域が設けられる。
【０１０４】
図１２（b）に、印刷順序情報が逆Ｚ順の場合について、各用紙に印刷される糊代と、用紙の印刷順序を示す。
また、図１３（b）に、印刷順序情報が逆Ｚ順の場合についての糊代情報を示す。
印刷順序情報が逆Ｚ順の場合、図１２（b）に示すように、４つの用紙は、P21、P11、P22、P12の順に印刷される。
【０１０５】
用紙P21の表面には、左辺近傍と下辺近傍に、糊代番号Ｎ１が印刷される糊代領域が設けられる。
用紙P11の表面には、下辺近傍に、糊代番号Ｎ２が印刷される糊代領域が設けられる。さらに、用紙P11の裏面には、右辺近傍に、糊代番号Ｎ１が印刷される糊代領域が設けられる。
ここでも、用紙P11と用紙P21とを貼り合わせる場合、用紙P21の表面に印刷された糊代番号Ｎ１の糊代領域の上に、用紙P11の裏面に印刷された糊代番号Ｎ１の糊代領域が重なるように、貼り合わせればよい。
これにより、貼付作業が容易となり、貼付作業時間を短縮できる。
【０１０６】
用紙P22の表面には、左辺近傍に、糊代番号Ｎ３が印刷される糊代領域が設けられる。
さらに、用紙P22の裏面には、上辺近傍に、糊代番号Ｎ１が印刷される糊代領域が設けられる。
用紙P12の裏面には、上辺近傍に、糊代番号Ｎ２が印刷される糊代領域が設けられ、右辺近傍に、糊代番号Ｎ３が印刷される糊代領域が設けられる。
【０１０７】
図１２（c）に、印刷順序情報が逆Ｎ順の場合について、各用紙に印刷される糊代と、用紙の印刷順序を示す。
また、図１３（c）に、印刷順序情報が逆Ｎ順の場合についての糊代情報を示す。
印刷順序情報が逆Ｎ順の場合、図１２（c）に示すように、４つの用紙は、P11、P12、P21、P22の順に印刷される。
【０１０８】
用紙P11の表面には、右辺近傍と下辺近傍に、糊代番号Ｎ１が印刷される糊代領域が設けられる。
用紙P12の表面には、右辺近傍に、糊代番号Ｎ２が印刷される糊代領域が設けられる。さらに、用紙P12の裏面には、上辺近傍に、糊代番号Ｎ１が印刷される糊代領域が設けられる。
ここでも、用紙P11と用紙P12とを貼り合わせる場合、用紙P11の表面に印刷された糊代番号Ｎ１の糊代領域の上に、用紙P12の裏面に印刷された糊代番号Ｎ１の糊代領域が重なるように、貼り合わせればよい。
これにより、貼付作業が容易となり、貼付作業時間を短縮できる。
【０１０９】
用紙P21の表面には、下辺近傍に、糊代番号Ｎ３が印刷される糊代領域が設けられる。
さらに、用紙P21の裏面には、左辺近傍に、糊代番号Ｎ１が印刷される糊代領域が設けられる。
用紙P22の裏面には、左辺近傍に、糊代番号Ｎ２が印刷される糊代領域が設けられ、上辺近傍に、糊代番号Ｎ３が印刷される糊代領域が設けられる。
【０１１０】
図１２（d）に、印刷順序情報がＮ順の場合について、各用紙に印刷される糊代と、用紙の印刷順序を示す。
また、図１３（d）に、印刷順序情報がＮ順の場合についての糊代情報を示す。
印刷順序情報がＮ順の場合、図１２（d）に示すように、４つの用紙は、P21、P22、P11、P12の順に印刷される。
【０１１１】
用紙P21の表面には、左辺近傍と下辺近傍に、糊代番号Ｎ１が印刷される糊代領域が設けられる。
用紙P22の表面には、左辺近傍に、糊代番号Ｎ２が印刷される糊代領域が設けられる。さらに、用紙P22の裏面には、上辺近傍に、糊代番号Ｎ１が印刷される糊代領域が設けられる。
ここでも、用紙P21と用紙P22とを貼り合わせる場合、用紙P21の表面に印刷された糊代番号Ｎ１の糊代領域の上に、用紙P22の裏面に印刷された糊代番号Ｎ１の糊代領域が重なるように、貼り合わせればよい。
これにより、貼付作業が容易となり、貼付作業時間を短縮できる。
【０１１２】
用紙P11の表面には、下辺近傍に、糊代番号Ｎ３が印刷される糊代領域が設けられる。
さらに、用紙P11の裏面には、右辺近傍に、糊代番号Ｎ１が印刷される糊代領域が設けられる。
用紙P12の裏面には、右辺近傍に、糊代番号Ｎ２が印刷される糊代領域が設けられ、上辺近傍に、糊代番号Ｎ３が印刷される糊代領域が設けられる。
【０１１３】
図１４に、３ｘ３分割（９画像分割）における各用紙に印刷される糊代と、用紙の印刷順序の一実施例の概略説明図を示す。
図１４では、印刷順序情報がＺ順の場合について、各用紙に印刷される糊代と、用紙の印刷順序を示している。
ここでは、３ｘ３分割（９画像分割）なので、９枚の用紙（P11からP33）に、分割画像（G11からG33）が印刷される。
また、糊代領域を、用紙の一方の面（表面）に印刷する場合を示す。
印刷順序情報がＺ順なので、図４（c-1）に示した順序で、９枚の用紙が印刷（出力）される。
【０１１４】
図１４（a）では、印刷された用紙の貼付作業を、１人で行う場合に適した糊代番号を付与している。すなわち、用紙の印刷順序１から８に対応させて、各用紙の糊代領域に、それぞれ、連続する番号である糊代番号Ｎ１からＮ８を印刷する。
１人の作業者は、出力された用紙の順番と糊代番号に従って、糊代領域への糊付けと、隣接する２つの用紙の貼付作業を繰り返せばよい。
【０１１５】
たとえば、まず、用紙P11の糊代領域Ｎ１に糊付けし、用紙P11に用紙P21を貼り合わせる。次に、用紙P21の糊代領域Ｎ２に糊付けし、用紙P21に用紙P31を貼り合わせる。用紙P31の糊代領域Ｎ３に糊付けしておく。
用紙P12を、用紙P11の下辺近傍の糊代領域Ｎ１に合わせて貼り合わせる。用紙P12の糊代領域Ｎ４に糊付けし、用紙P12に用紙P22を貼り合わせる。用紙P22の糊代領域Ｎ５に糊付けし、用紙P22に用紙P32を貼り合わせる。用紙P32の糊代領域Ｎ６に糊付けしておく。
１人の作業者が、以上のような作業を繰り返すことにより、９分割された分割画像が結合され、もとの入力画像情報が拡大された用紙が完成する。
【０１１６】
図１４（b）では、印刷された用紙の貼付作業を、複数人で行う場合に適した糊代番号を付与している。ここでは、３人の作業者によって、貼付作業をする場合を示す。
１人の作業者は、各行の横方向に配置される３枚の用紙の貼付作業を担当する。
たとえば、作業者Aは、最初の行の用紙P11、P21、P31の貼付作業を担当する。
また、作業者Bは、２行目の用紙P12、P22、P32の貼付作業を担当し、作業者Cは、３行目の用紙P13、P23、P33の貼付作業を担当する。
【０１１７】
そこで、各作業者の貼付作業の順序に対応するように、行ごとに、各用紙の糊代領域に、それぞれ、連続する番号である糊代番号Ｎ１からＮ３を印刷する。
すなわち、作業者Bが担当する２行目の用紙P12、P22、P32についても、作業者Aが担当する最初の行の用紙P11、P21、P31と同様に、それぞれ、糊代番号Ｎ１、Ｎ２、Ｎ３を印刷する。作業者Cが担当する３行目の用紙P13、P23についても、同様である。
【０１１８】
各作業者は、自分が担当する複数の用紙について、出力された用紙の順番と糊代番号に従って、糊代領域への糊付けと、隣接する２つの用紙の貼付作業を繰り返せばよい。各作業者の貼付作業は、並行して進行させることができるので、貼付作業にかかる時間を短縮できる。
【０１１９】
たとえば、作業者Aは、用紙P11の糊代領域Ｎ１に糊付けし、用紙P11に用紙P21を貼り合わせる。次に、用紙P21の糊代領域Ｎ２に糊付けし、用紙P21に用紙P31を貼り合わせる。用紙P31の糊代領域Ｎ３に糊付けしておく。
また、作業者Bは、用紙P12の糊代領域Ｎ１に糊付けし、用紙P12に用紙P22を貼り合わせる。次に、用紙P22の糊代領域Ｎ２に糊付けし、用紙P22に用紙P32を貼り合わせる。用紙P32の糊代領域Ｎ３に糊付けしておく。
また、作業者Cは、用紙P13の糊代領域Ｎ１に糊付けし、用紙P13に用紙P23を貼り合わせる。次に、用紙P23の糊代領域Ｎ２に糊付けし、用紙P23に用紙P33を貼り合わせる。
【０１２０】
各作業者の貼付作業が終了した後、各自が作った結合用紙を持ち寄り、用紙P11、P21、P31の下辺近傍の糊代領域（Ｎ１、Ｎ２、Ｎ３）に、２行目の用紙P12、P22、P32を結合した用紙を貼り付ける。
次に、２行目の用紙P12、P22、P32の下辺近傍の糊代領域（Ｎ１、Ｎ２、Ｎ３）に、３行目の用紙P13、P23、P33を結合した用紙を貼り付ける。
３人の作業者によって、以上のような作業を行うことにより、９分割された分割画像が結合され、もとの入力画像情報が拡大された用紙が完成する。
【０１２１】
図１５に、３ｘ３分割（９画像分割）における各用紙に印刷される糊代と、用紙の印刷順序の一実施例の概略説明図を示す。
図１５では、印刷順序情報が逆Ｎ順の場合について、各用紙に印刷される糊代と、用紙の印刷順序を示している。
ここでは、３ｘ３分割（９画像分割）なので、９枚の用紙（P11からP33）に、分割画像（G11からG33）が印刷される。
また、糊代領域を、用紙の一方の面（表面）に印刷する場合を示す。
【０１２２】
印刷順序情報が逆Ｎ順なので、図４（c-4）に示した順序で、９枚の用紙が印刷（出力）される。
印刷順序情報が逆Ｎ順の場合の糊代領域の位置は、図１４に示した印刷順序情報がＺ順の場合の位置と同じである。ただし、糊代領域に印刷される糊代番号が異なる。
【０１２３】
図１５（a）では、図１４（a）と同様に、印刷された用紙の貼付作業を、１人で行う場合に適した糊代番号を付与している。すなわち、用紙の印刷順序１から８に対応させて、各用紙の糊代領域に、それぞれ、連続する番号である糊代番号Ｎ１からＮ８を印刷する。
１人の作業者は、出力された用紙の順番と糊代番号に従って、糊代領域への糊付けと、隣接する２つの用紙の貼付作業を繰り返せばよい。
【０１２４】
図１５（b）では、印刷された用紙の貼付作業を、複数人で行う場合に適した糊代番号を付与している。ここでは、３人の作業者によって、貼付作業をする場合を示す。
１人の作業者は、各列の縦方向に配置される３枚の用紙の貼付作業を担当する。
たとえば、作業者Aは、最初の列の用紙P11、P12、P13の貼付作業を担当する。
また、作業者Bは、２列目の用紙P21、P22、P23の貼付作業を担当し、作業者Cは、３列目の用紙P31、P32、P33の貼付作業を担当する。
【０１２５】
そこで、各作業者の貼付作業の順序に対応するように、列ごとに、各用紙の糊代領域に、それぞれ、連続する番号である糊代番号Ｎ１からＮ３を印刷する。
すなわち、作業者Bが担当する２列目の用紙P21、P22、P23についても、作業者Aが担当する最初の列の用紙P11、P12、P13と同様に、それぞれ、糊代番号Ｎ１、Ｎ２、Ｎ３を印刷する。作業者Cが担当する３列目の用紙P31、P32についても、同様である。
【０１２６】
各作業者は、自分が担当する複数の用紙について、出力された用紙の順番と糊代番号に従って、糊代領域への糊付けと、隣接する２つの用紙の貼付作業を繰り返せばよい。各作業者の貼付作業は、並行して進行させることができるので、貼付作業にかかる時間を短縮できる。
【０１２７】
各作業者の貼付作業が終了した後は、各自が作った結合用紙を持ち寄り、用紙P11、P12、P13の右辺近傍の糊代領域（Ｎ１、Ｎ２、Ｎ３）に、２列目の用紙P21、P22、P23を結合した用紙を貼り付ける。
次に、２列目の用紙P21、P22、P23の右辺近傍の糊代領域（Ｎ１、Ｎ２、Ｎ３）に、３列目の用紙P31、P32、P33を結合した用紙を貼り付ける。
３人の作業者によって、以上のような作業を行うことにより、９分割された分割画像が結合され、もとの入力画像情報が拡大された用紙が完成する。
【０１２８】
なお、印刷順序情報が逆Ｚ順とＮ順の場合についても、同様の考え方で、印刷順序と、糊代番号が付与できるので、印刷順序情報が逆Ｚ順とＮ順の場合の各用紙に印刷される糊代と、用紙の印刷順序の説明は、省略する。
【０１２９】
＜この発明の画像形成装置における分割画像の印刷処理＞
（印刷処理例１）
図１６に、用紙の一方の表面に糊代領域を印刷する場合における分割画像の印刷処理の一実施例のフローチャートを示す。
ここでは、取得した画像情報を、拡大して複数枚の用紙に分けて印刷するために、主として、画像情報の入力、印刷情報の設定入力、分割画像の生成、糊代付きの糊代合成画像データの生成、糊代合成画像データを印刷した用紙の出力という順序で、処理を進める。
また、糊代領域は、分割画像を印刷する面と同じ用紙の表面に印刷するものとし、印刷情報としては、印刷順序情報３２と、分割数３３を設定するものとする。
【０１３０】
図１６のステップS1において、印刷しようとする画像情報の取得処理を行う。
ここでは、ユーザが、操作部１２を利用して、画像情報を取得する機能を開始させ、情報入力部１３によって、画像情報を取得する。
たとえば、スキャナを用いて、印刷しようとする画像情報が印刷された用紙から、画像情報を読み取る。また、ＵＳＢメモリ等の記憶媒体を接続し、その記憶媒体に記憶された画面情報を読み込む。
ステップS2において、情報入力部１３が、取得された画像情報を、入力画像情報３１として記憶部３０に記憶する。
【０１３１】
ステップS3において、制御部１１が、ユーザによって、操作部１２等を用いて、印刷情報の設定入力がされたか否かをチェックする。
ステップS4において、ユーザが印刷情報の設定入力をした場合は、ステップS5に進み、そうでない場合は、ステップS7に進む。
【０１３２】
ユーザが、印刷順序情報３２と分割数３３とを設定入力したとすると、ステップS5において、印刷情報設定部１６が、入力された印刷順序情報３２を、記憶部３０に記憶する。また、ステップS6において、印刷情報設定部１６が、入力された分割数３３を、記憶部３０に記憶する。
【０１３３】
ステップS7において、制御部１１が、ユーザによって、操作部１２等を用いて、印刷開始を意味する入力がされたか否かをチェックする。
ステップS8において、印刷開始を意味する入力がされた場合は、ステップS9に進み、そうでない場合は、ステップS3に戻る。
なお、ユーザが印刷情報の設定入力をせずに、印刷開始を意味する入力をした場合は、予め初期設定されている印刷情報を用いて、ステップS9からS13の処理を実行すればよい。
【０１３４】
ステップS9において、分割画像形成部１７が、設定された分割数３３を利用して、入力画像情報３１の分割処理を行う。
入力画像情報３１を、分割数３３に相当する数の分割画像に分け、各分割画像を、分割画像ファイルに保存する。また、分割数３３に相当する数の用紙番号を生成し、用紙番号と、分割画像ファイルを対応づけた分割画像データ３７を生成し、記憶部３０に記憶する。たとえば、図６（a）に示したような分割画像データ３７を記憶する。
【０１３５】
ステップS10において、設定された印刷順序情報３２と分割数３３とを利用して、糊代情報３６を生成し、記憶部３０に記憶する。
ここでは、糊代位置決定部１９が、印刷順序情報３２と分割数３３とを利用して、各用紙に設ける糊代領域の位置を決定し、用紙ごとに、糊代情報３６の糊代位置として記憶する。糊代領域の位置は、分割画像を印刷する面と同じ表面に設ける。
また、糊代番号付与部２０が、糊代位置決定部１９によって決定された糊代領域の位置に、印刷順序情報３２に対応した糊代番号を付与し、用紙ごとに、糊代情報３６の糊代番号として記憶する。
【０１３６】
ステップS11において、印刷順序決定部１８が、印刷順序情報３２を利用して、各用紙の印刷順序を設定し、糊代情報３６の印刷順序として記憶する。
このステップS10とステップS11の処理により、たとえば、図７（a）や図８に示したような糊代情報３６が記憶される。
【０１３７】
ステップS12において、糊代画像合成部２１が、糊代情報３６に基づいて、各用紙に印刷する糊代合成画像データ３８を生成し、記憶部３０に記憶する。
ここでは、用紙番号ごとに、用紙番号に対応する分割画像ファイルの画像を分割画像データ３７から読み出し、用紙番号に対応する糊代位置と糊代番号とから糊代領域を生成し、読み出した画像と糊代領域とを合成して、糊代番号付きの糊代領域を含む糊代合成画像データ３８を生成する。たとえば、図３（a）、図１０、図１４に示したような糊代合成画像データ３８が生成される。
【０１３８】
ステップS13において、制御部１１が、糊代情報３６の印刷順序に基づいて、各用紙の糊代合成画像データ３８を、出力部１５に与え、各用紙に糊代合成画像データ３８を印刷し、用紙を出力する。
【０１３９】
以上の一連の印刷処理により、ユーザは、印刷したい画像情報を入力し、印刷順序情報３２と分割数３３とを設定入力することにより、自動的に、ユーザが設定した印刷順序で、糊代番号付きの糊代領域を付加した分割画像がそれぞれ印刷された複数枚の用紙を出力させることができる。
【０１４０】
その後、ユーザは、出力された用紙の順番を並べ替えることなく、印刷順に、用紙の糊代領域に糊を付けて、他の用紙を貼り合わせる貼付処理を、繰り返すことによって、画像情報を拡大した用紙を完成させることができる。
したがって、貼付作業に適した順序で複数枚の用紙が出力され、かつ各用紙の糊代領域に作業順序に対応した糊代番号が印刷されているので、ユーザの貼付作業の負担を軽減でき、貼付作業にかかる時間を短縮できる。
【０１４１】
（印刷処理例２）
図１７に、用紙の両面に糊代領域を印刷する場合における分割画像の印刷処理の一実施例のフローチャートを示す。
ここでも、図１６に示した印刷処理と同様に、取得した画像情報を拡大して複数枚の用紙に分けて印刷するために、主として、画像情報の入力、印刷情報の設定入力、分割画像の生成、糊代付きの糊代合成画像データの生成、糊代合成画像データを印刷した用紙の出力という順序で、処理を進める。
【０１４２】
だたし、印刷情報の設定入力において、印刷順序情報３２と分割数３３に加えて、用紙種別情報３４と、糊代印刷面情報３５も、設定されるものとする。
また、これらの設定された印刷情報を考慮して、分割画像を印刷する面と同じ用紙の表面のみに、糊代領域を印刷するか、あるいは、糊代領域を用紙の裏面にも糊代領域を印刷するかを判断する。
【０１４３】
すなわち、図１７では、主として、糊代領域を印刷する面の判断と、糊代領域を用紙の裏面に印刷する場合に、裏面に関する糊代情報を生成する処理を行う点が、図１６と異なる。
図１７のフローにおいて、図１６と同じ処理を行うステップには、図１６と同じステップ番号を付与している。
【０１４４】
まず、図１６と同様に、ステップS1からステップS6までの処理を行う。
すなわち、画像情報を取得して入力画像情報３１として記憶し、ユーザの設定入力があった場合に、入力された印刷順序情報３２と分割数３３を記憶する。
【０１４５】
さらに、ユーザが、用紙種別情報３４と、糊代印刷面情報３５とを設定入力したとすると、ステップS21において、印刷情報設定部１６が、入力された用紙種別情報３４を、記憶部３０に記憶し、ステップS22において、入力された糊代印刷面情報３５を、記憶部３０に記憶する。
【０１４６】
次に、ステップS23において、糊代印刷面情報３５として、「表裏両面」が設定入力された場合は、ステップS24に進み、そうでない場合、すなわち「表面のみ」が設定入力された場合は、ステップS7に進む。
ステップS24において、用紙種別情報３４に設定された用紙種別が、両面印刷可能な用紙か否かを判断し、両面印刷可能な場合は、ステップS25に進み、そうでない場合は、ステップS26に進む。
【０１４７】
ステップS25において、「表裏両面」が設定入力され、用紙種別が両面印刷可能な用紙なので、裏面にも、糊代領域を設定するため、設定された印刷順序情報３２と分割数３３とを利用して、裏面に関する糊代情報３６を生成し、記憶部３０に記憶する。すなわち、裏面に設ける糊代領域の位置と、糊代領域に印刷する糊代番号を設定する。
その後、ステップS7に進む。
【０１４８】
ステップS26において、設定された用紙種別は、両面印刷不可の用紙であることを、警告表示する。
ステップS27において、設定取消入力の有無をチェックする。
ステップS28において、設定取消入力がされた場合は、ステップS3に戻り、再度設定入力を行う。設定取消入力がされない場合は、ステップS29に進む。
ステップS29において、ステップS7と同様に、印刷開始を意味する入力がされたか否かをチェックする。
【０１４９】
ステップS30において、印刷開始を意味する入力がされた場合は、ステップS9に進み、そうでない場合は、ステップS26に戻る。
ここで、ステップS30から、ステップS9に進む場合は、ユーザによって糊代印刷面として「表裏両面」が設定されていたが、設定された用紙種別が両面印刷不可の用紙であったので、糊代領域の裏面への印刷は禁止され、図１６と同様に、分割画像を印刷する面と同じ表面に、糊代領域を印刷することになる。
【０１５０】
ステップS7からステップS13までの処理は、図１６と同様である。
すなわち、印刷開始を意味する入力がされた場合は、ステップS9において、分割画像形成部１７が、設定された分割数３３を利用して、入力画像情報３１の分割処理を行い、分割画像データ３７を生成し、記憶部３０に記憶する。
【０１５１】
ステップS10において、設定された印刷順序情報３２と分割数３３とを利用して、表面に関する糊代情報３６を生成し、記憶部３０に記憶する。
ここでは、各用紙に設ける糊代領域の位置を、分割画像を印刷する面と同じ表面に設定し、用紙ごとに、糊代情報３６の糊代位置として記憶する。また、糊代領域の位置に、印刷順序情報３２に対応した糊代番号を付与し、用紙ごとに、糊代情報３６の糊代番号として記憶する。
ただし、糊代領域を両面に設ける場合は、糊代情報３６の糊代位置と糊代番号は、表面と裏面とを区別して記憶する。たとえば、図１３に示したような糊代情報３６が記憶される。
【０１５２】
ステップS11において、印刷順序決定部１８が、印刷順序情報３２を利用して、各用紙の印刷順序を設定し、糊代情報３６の印刷順序として記憶する。
【０１５３】
ステップS12において、糊代画像合成部２１が、糊代情報３６に基づいて、各用紙に印刷する糊代合成画像データ３８を生成し、記憶部３０に記憶する。
ここで、糊代領域を一方の表面のみに設ける場合は、たとえば、図１０に示したような糊代合成画像データ３８が生成される。一方、糊代領域を両面に設ける場合は、図１２に示したような糊代合成画像データ３８が生成される。
【０１５４】
ステップS13において、制御部１１が、糊代情報３６の印刷順序に基づいて、各用紙の糊代合成画像データ３８を、出力部１５に与え、各用紙に糊代合成画像データ３８を印刷し、用紙を出力する。
【０１５５】
以上の一連の印刷処理により、ユーザは、印刷したい画像情報を入力し、印刷順序情報３２と分割数３３に加え、用紙種別情報３４として両面印刷可能な用紙を設定入力し、糊代印刷面情報３５として「表裏両面」を設定入力した場合は、自動的に、ユーザが設定した印刷順序で、糊代番号付きの糊代領域を用紙の両面に印刷した複数枚の用紙を出力させることができる。
【０１５６】
その後、ユーザは、出力された用紙の順番を並べ替えることなく、印刷順に、用紙の糊代領域に糊を付けて、他の用紙を貼り合わせる貼付処理を、繰り返すことによって、画像情報を拡大した用紙を完成させることができる。
【０１５７】
特に、糊代番号付きの糊代領域が、用紙の両面に印刷された場合は、用紙の表面に印刷された糊代番号付きの糊代領域と、用紙の裏面に印刷された同じ糊代番号付きの糊代領域とを貼り合わせればよいので、貼付ミスを防止し、ユーザの貼付作業の負担をさらに軽減でき、貼付作業にかかる時間をさらに短縮できる。
【０１５８】
＜実施形態のまとめ＞
（実施形態１）
上記実施例では、画像形成装置として、主として、図１に示したすべての機能を１台の装置に備えた複合機の場合について説明した。
ただし、これに限るものではなく、上記したように、用紙の出力機能など一部の機能のみを画像形成装置に備え、スキャナやパソコンなど他の機能を備えた外部機器と組み合わせて、この発明の分割画像の印刷処理を実現してもよい。
【０１５９】
（実施形態２）
上記実施例では、ユーザによって設定された印刷順序情報にしたがって、複数枚の用紙を印刷しており、各用紙の糊代領域に印刷する糊代番号も、原則として、用紙の印刷順序に対応した番号を付与していた。
ただし、これに限るものではなく、作業者の人数に対応して、各用紙の糊代領域に印刷する糊代番号を付与してもよい。
【０１６０】
たとえば、上記したように、図９、図１４（b）、図１５（b）に示したように、１人の作業者が、１列の複数の用紙、あるいは１行の複数の用紙の貼付作業を担当し、複数の作業者で貼付作業をする場合は、各列の複数の用紙、あるいは各行の複数の用紙ごとに、それらの用紙の印刷順序に対応した糊代番号を付与してもよい。これにより、各作業者の貼付作業の順序が、明確になり、貼付順序を間違えることを減らすことができる。
【０１６１】
さらに、１人の作業者が担当する複数の用紙が、列ごとや行ごとではない場合、たとえば、担当する用紙の枚数を細分化して、１つの行の複数枚の用紙について貼付作業を複数人で行う場合などについては、１人の作業者が担当する用紙群ごとに、その用紙群に属する用紙の印刷順序に対応した糊代番号を付与してもよい。これにより、糊代番号は、作業者の作業順序に対応したものとなるので、複数の作業者で貼付作業をする場合において、各作業者の作業がよりしやすくなる。
【０１６２】
（実施形態３）
上記実施例では、糊代領域を、分割画像を印刷する面と同じ表面のみに設ける場合と、用紙の両面に設ける場合について説明した。
また、用紙の両面に糊代領域を設ける場合は、表面に設ける糊代領域の位置と、裏面に設ける糊代領域の位置を異なる位置とするものについて説明した。
ただし、糊代領域を、設ける位置はこれに限るものではない。
【０１６３】
たとえば、糊代領域を、分割画像を印刷する面とは異なる裏面のみに設けてもよい。
また、糊代領域には、糊代番号のみを印刷してもよいが、糊代番号に加えて、糊代領域の区域を、分割画像の印刷領域と区別できるように、糊代領域に、斜線などの所定のパターンを印刷してもよい。
【０１６４】
また、用紙の表面に印刷する糊代領域のパターンと、用紙の裏面に印刷する糊代領域のパターンとを異ならせてもよい。
あるいは、糊代領域の位置や糊代番号に対応して、それぞれ、異なるパターンを印刷してもよい。また、カラー印刷が可能な場合は、糊代番号や、用紙の行ごとに、糊代領域の印刷色を異ならせてもよい。
これにより、各作業者の貼付作業を、よりしやすくすることができる。
【０１６５】
（実施形態４）
上記実施例では、用紙種別情報に、両面印刷ができない用紙が設定されている場合は、糊代印刷面情報に「表裏両面」が設定されていても、裏面への印刷を禁止し、表面のみに、糊代番号付きの糊代領域を印刷するものを示した。これにより、両面印刷ができない用紙への印刷ミスを防止し、ユーザの設定のやり直しを不要として、操作負担を軽減できる。
【０１６６】
また、逆に、用紙種別情報に、両面印刷ができる用紙が設定されている場合、糊代印刷面情報に「表面のみ」が設定されていたとしても、糊代領域を表面のみではなく、裏面にも糊代領域を印刷するようにしてもよい。これにより、ユーザの貼付作業をしやすくすることができる。
【０１６７】
また、上記実施例では、用紙種別情報と糊代印刷面情報の両方を設定する例を示したが、用紙種別情報のみを設定するようにしてもよい。この場合は、用紙種別情報として、両面印刷ができる用紙が設定された場合は、自動的に、糊代領域を両面に印刷するようにし、両面印刷ができない用紙が設定されている場合は、自動的に、糊代領域を、分割画像を印刷する面と同じ表面のみに印刷するようにすればよい。
【符号の説明】
【０１６８】
１  画像形成装置、  
１１  制御部、
１２  操作部、
１３  情報入力部、
１４  表示部、
１５  出力部、
１６  印刷情報設定部、
１７  分割画像形成部、
１８  印刷順序決定部、
１９  糊代位置決定部、
２０  糊代番号付与部、
２１  糊代画像合成部、
３０  記憶部、  
３１  入力画像情報、
３２  印刷順序情報、
３３  分割数、
３４  用紙種別情報、
３５  糊代印刷面情報、
３６  糊代情報、
３７  分割画像データ、
３８  糊代合成画像データ
【図１】
2018176427.tif 000003
【図２】
2018176427.tif 000004
【図３】
2018176427.tif 000005
【図４】
2018176427.tif 000006
【図５】
2018176427.tif 000007
【図６】
2018176427.tif 000008
【図７】
2018176427.tif 000009
【図８】
2018176427.tif 000010
【図９】
2018176427.tif 000011
【図１０】
2018176427.tif 000012
【図１１】
2018176427.tif 000013
【図１２】
2018176427.tif 000014
【図１３】
2018176427.tif 000015
【図１４】
2018176427.tif 000016
【図１５】
2018176427.tif 000017
【図１６】
2018176427.tif 000018
【図１７】
2018176427.tif 000019
【図１８】
2018176427.tif 000020